(57)【特許請求の範囲】
【請求項１】
ボディと、該ボディの一端に固定された固定口金と、該固定口金の相対する部位に設けられた可動口金と、該可動口金を取り付けボディの案内面に沿って摺動自在に移動する可動体と、前記ボディに支持され可動体を摺動自在とするネジ軸と、該ネジ軸の一端に連接され固定口金下方にボディと当接して設けられた反力受け部材を備えるバイスにおいて、被加工物を締め付ける時に生じるボディの曲げモーメントによるたわみ変形を抑えるために、前記反力受け部材が前記変形に対向する方向の力を作用させる２つの作用部を備えていることを特徴とする工作機械用バイスの構造。
【請求項２】
前記反力受け部材の両作用部が共にくさび面に形成され、ボディとテーパ状に当接されていることを特徴とする請求項１に記載の工作機械用バイスの構造。
【請求項３】
前記反力受け部材の作用部が下端側をくさび面でボディに当接され、上端側を水平な面でボディに当接されていることを特徴とする請求項１に記載の工作機械用バイスの構造。
【発明の詳細な説明】
【０００１】
【産業上の利用分野】
本発明は、工作機械用バイスにおける、固定口金の取り付け部近傍のボディの変形を防ぐ構造に関する。
【０００２】
【従来の技術】
一般にバイスは、ボディと、固定口金、およびこのボディの案内面に沿って摺動自在に設けられた可動口金を備えており、この可動口金は、ボディに取り付けられたネジ軸を回転させることによって締め付け方向に移動できるようになされている。
【０００３】
固定口金と可動口金が相対向して被加工物を締め付けるとき、その締め付け力の反力によって、固定口金とボディに変形が発生する。これらのうち固定口金の変形を防止するため、特開昭６１−６５７８２号公報では、可動口金を進退させるネジ軸の一端をバランスアームに連結し、このバランスアームの一端をボディの背面へ、他の一端を固定口金の背面に当接させ、締め付け時に発生する可動口金の反力を固定口金に対して締め付け方向に作用させることによって、固定口金の変形を少なくする構造が提案されている。
【０００４】
また、ボディの変形を少なくするために、本出願人の提案である特開平６−１４３１５０号公報があり、これによると締め付け力の反力を反力受け部材を介して固定口金側のフレーム端面に作用させ、固定口金に対して締め付け方向へ作用させることによってフレームに圧縮力が働く構造になしたものである。
【０００５】
【発明が解決しようとする課題】
しかし、この構造は、固定口金の締め付け方向のみの変形の対策であって、ボディ端部の曲げモーメントによるたわみ変形に対する対策ではなく、固定口金付近のボディの変形が、固定口金の取り付け姿勢や取り付け角度に変位を生じさせているのである。
【０００６】
少なくとも従来の構造として、バランスアームの一端を固定口金の背面に当接させる構造は、多種多様なワーク形状や使用方法に対応するためボディと固定口金とが別体で固定口金の取り外し・交換ができるタイプの一般的なバイスでは、その都度バランスアームを取り外す必要が生じ、きわめて不便であり、作業工数の雑多をまねいている。
【０００７】
また、締め付け力の反力を固定口金側のフレーム端面に固定口金に対して締め付け方向へ作用させる構造は、ボディに生じる曲げモーメントに対しては効果が小さいのである。
【０００８】
本発明は、締め付け時の可動口金の反力を、ボディの端部に作用させることより、固定口金の反力によって生じる固定口金の取り付け部近傍のボディの曲げモーメントによるたわみ変形を抑えることを目的とする。
【０００９】
【課題を解決するための手段】
本発明は、ボディと、該ボディの一端に固定された固定口金と、該固定口金の相対する部位に設けられた可動口金と、該可動口金を取り付けボディの案内面に沿って摺動自在に移動する可動体と、前記ボディに支持され可動体を摺動自在とするネジ軸と、該ネジ軸の一端に連接され固定口金下方にボディと当接して設けられた反力受け部材を備えるバイスにおいて、被加工物を締め付ける時に生じるボディの曲げモーメントによるたわみ変形を抑えるために、前記反力受け部材が前記変形に対向する方向の力を作用させる２つの作用部を備えていることである。
【００１０】
【発明の実施の形態】
以下、本発明を図を用いて詳細に説明する。
図１は実施例を示す断面図である。図においてボディ１は箱状に形成され、固定口金２がボディ１の一端上面に設けられている。固定口金２は図示しないボルトによりボディ１に固着されており、被加工物６の形状、大きさなどによって取り替え可能になされている。この固定口金２と相対する部位に被加工物をはさむように可動口金３が設けられており、この可動口金３は、図示しないボルトにより取り替えできるように可動体１１に固着されている。
【００１１】
可動体１１は、ボディ１に取り付けられたネジ軸４を回転させることによって、締め付け方向に可動口金３と一体となって移動できるようになされている。ネジ軸４の一端である固定口金２の下方には、ボディ１の端部と当接している反力受け部材５が設けられており、この反力受け部材５は、上下方向の両端に作用部７Ａ、７Ｂを備え、この両作用部７Ａ、７Ｂがくさび面８を形成し、ボディ１とテーパ状に当接するように配設されている。
【００１２】
次に作用を図３を用いて説明する。バイスの締め付け時の締め付け力ＰＳによる被加工物からの反力は、固定口金２を一点鎖線の如く左側に転倒させ、沈み込ませる力として作用し、この力はボディ１に曲げモーメントＭによるたわみ変形をおこす。
【００１３】
可動口金３の反力Ｆは、ネジ軸４を介して反力受け部材５に伝えられる。この反力受け部材５の上側作用部７Ａのくさび面８によって可動口金３の反力Ｆはボディ１との当接面９の傾斜によって作用力Ｐ０を発生し、その分力によりボディ端部を上方向へ押し上げる力Ｐを生じさせる。この力Ｐが、固定口金２を沈み込ませてボディに曲げモーメントＭによるたわみ変形を生じさせる力に対向する力になり、ボディ端部のたわみ変形を抑えることができる。
【００１４】
この時、反力受け部材５の下側作用部７Ｂのくさび面８は、上部と同様の作用により、ボディ端部を下に下げる力が加わる。しかし、ボディ１はベース面に固定され据え付けられているので、その反力がボディを上に押し上げる力として加わり、より効果的にボディ端部の変形を小さくする作用が働くことになる。
【００１５】
図２は他の実施例を示す部分断面図であり、反力受け部材５５の上側作用部７Ａが水平な面１０で、ボディ１の当接面９に当接している。
反力受け部材５５に伝えられる可動口金３の反力Ｆは、反力受け部材５５の下側作用部７Ｂが前述した実施例と同様にくさび面８を形成し、このくさび面８によって可動口金３の反力Ｆは、ボディ１との当接面９の傾斜によって作用力Ｐ０を発生し、その分力により、ボディ端部を上方向へ押し上げる力Ｐを生じさせる。その上方向へ押し上げる力Ｐが、反力受け部材５５の上側作用部７Ａの水平な面１０で当接しているボディ１の当接面９を押し上げ、固定口金２が沈み込むことによるボディ１の曲げモーメントＭによるたわみ変形を抑える作用を生じさせる。
【００１６】
【発明の効果】
従来の構造では、可動口金の反力の作用する方向は固定口金の締め付け方向にしか作用していないので、ボディに生じる曲げモーメントにたいしては効果が小さい。しかし、本発明の構造では、固定口金の締め付け方向ではなくボディに生じる曲げモーメントに対向するように、ボディ端部を上方向へ押し上げる方向へ可動口金の反力を作用させるため、ボディ端部のたわみ変形を抑える効果が大きくなる。
【００１７】
請求項１によると、固定口金の姿勢を正しく保つことから、被加工物を確実に固定し、保持することができる。また、加工精度の維持も確保される。
請求項２によると、ボディに生じる曲げモーメントによる変形に対向する力を有効に作用させることができる。
請求項３によると、簡単な形状で同様の効果を得ることができる。
【図面の簡単な説明】
【図１】  本発明の第１実施例を示す断面図
【図２】  本発明の他の実施例を示す部分断面図
【図３】  本発明の第１実施例の作用を示す部分断面図
【符号の説明】
１    ボディ
２    固定口金
３    可動口金
４    ネジ軸
５    反力受け部材
６    被加工物
７Ａ  作用部
７Ｂ  作用部
８    くさび面
９    当接面
１０  水平な面
１１  可動体
５５  反力受け部材
【図１】
0004625160.tif 000002
【図２】
0004625160.tif 000003
【図３】
0004625160.tif 000004